(57)【要約】【課題】内蔵する複数のチューナに対して、受信品質の良い方を用いてデジタル放送の受信を行う。【解決手段】２つのチューナを内蔵するポータブルレコーダ１は、第一筐体２の両側面２ａ、２ｂから突出可能に第一チューナ７、第二チューナ８を設けて、各チューナの受信品質に差が起こり得るようにしている。デジタル放送の受信を行う際、ポータブルレコーダ１は、各チューナでの受信に係るＣ／Ｎ比をそれぞれ検出し、検出したＣ／Ｎ比を比較して、Ｃ／Ｎ比が大きい方のチューナを用いてデジタル放送の視聴が行えるように、チューナの切替制御を行う。まあ、ポータブルレコーダ１は、切り替えたチューナで受信を行う場合、デフォルトではＢ階層で受信を行い、受信品質の悪化に伴い自動的にＡ階層での受信に切り替える。【選択図】図１
2009027362.tif 000002
【特許請求の範囲】
【請求項１】
デジタル放送を受信する複数のチューナを備えた受信装置において、
前記複数のチューナに対応した複数のアンテナを装置筐体の相異する箇所にそれぞれ設けたことを特徴とする受信装置。
【請求項２】
前記複数のチューナのいずれか１つが出力系回路と接続されるように、接続の切替を行う切替手段と、
前記複数のチューナがそれぞれ受信する同一チャンネルのデジタル放送の搬送波に含まれるノイズの割合を表すノイズ値を検出するノイズ値検出手段と、
検出した複数のノイズ値を比較する比較手段と、
前記比較手段の比較結果により、複数のノイズ値の中でノイズの割合が少ないノイズ値に応じたチューナが出力系回路と接続されるように、前記切替手段の切替を制御する手段と
を備える請求項１に記載の受信装置。
【請求項３】
前記複数のチューナの中で、前記切替手段の切替により出力系回路と接続されたチューナと異なるチューナを、出力系回路と接続させる補助接続手段を備える請求項２に記載の受信装置。
【請求項４】
前記チューナごとに設けてあり、前記チューナが受信するデジタル放送のチャンネルに係る全セグメント中の一のセグメントに係る処理を行う第１処理手段と、
前記チューナごとに設けてあり、前記全セグメント中の他の複数のセグメントに係る処理を行う第２処理手段と、
前記チューナごとに設けてあり、前記第１処理手段または第２処理手段のいずれか一方が出力系回路と接続されるように、接続の切替を行う接続切替手段と、
前記チューナが受信するデジタル放送の信号に係る誤り比率を検出する比率検出手段と、
前記比率検出手段が検出した誤り比率と、閾値とを比較する比率比較手段と、
前記比率比較手段の比較結果により、検出した誤り比率が前記閾値を下回る場合、前記第２処理手段が出力系回路と接続されるように、前記接続切替手段の切替の制御を行う切替制御手段と
を備える請求項１乃至請求項３のいずれか１項に記載の受信装置。
【請求項５】
前記比率比較手段の比較結果により、検出した誤り比率が前記閾値を上回る場合、前記切替制御手段は、前記第１処理手段が出力系回路と接続されるように制御を行う請求項４に記載の受信装置。
【請求項６】
受信するデジタル放送の搬送波に含まれるノイズの割合を表すノイズ値を検出する手段と、
前記第１処理手段に応じたセグメントのデジタル放送の信号に係る誤り比率を検出する手段と、
前記接続切替手段が前記第１処理手段を出力系回路と接続するように切替を行った場合に、検出したノイズ値と基準ノイズ値との比較、および検出した誤り比率と基準比率との比較を行う複合比較手段と
を備え、
比較の結果、基準時間中、検出したノイズ値が前記基準ノイズ値を上回り、且つ検出した誤り比率が前記基準比率を下回る場合、前記切替制御手段は、出力系回路の接続対象が前記第１処理手段から第２処理手段へと切り替わるように制御を行う請求項４または請求項５に記載の受信装置。
【請求項７】
前記第１処理手段に応じたセグメントのデジタル放送の信号に係る第１誤り比率を検出する手段と、
前記第２処理手段に応じたセグメントのデジタル放送の信号に係る第２誤り比率を検出する手段と、
前記接続切替手段が前記第１処理手段を出力系回路と接続するように切替を行った場合に、検出した第１誤り比率と第１基準比率との比較、および検出した第２誤り比率と第２基準比率との比較を行う複合比較手段と
を備え、
比較の結果、基準時間中、検出した第１誤り比率が前記第１基準比率を下回り、且つ検出した第２誤り比率が前記第２基準比率を下回る場合、前記切替制御手段は、出力系回路の接続対象が前記第１処理手段から第２処理手段へと切り替わるように制御を行う請求項４または請求項５に記載の受信装置。
【請求項８】
前記チューナが受信したデジタル放送の放送内容の記録に係る処理を行う記録処理手段を備え、
前記複合比較手段は、前記記録処理手段が記録に係る処理を行わないときに比較を行うようにしてある請求項６または請求項７に記載の受信装置。
【請求項９】
前記接続切替手段が前記第１処理手段と出力系回路を接続するように切替を行った場合で、前記記録処理手段が記録に係る処理を行うとき、前記切替制御手段は、前記第１処理手段と出力系回路との接続が維持されるように制御を行う請求項８に記載の受信装置。
【発明の詳細な説明】
【技術分野】
【０００１】
本発明は、地上デジタル放送などのデジタル放送を受信するチューナを複数備えた受信装置において、チューナのそれぞれに専用のアンテナを設けて受信状態の良いチューナで受信を行えるようにした受信装置に関する。
【背景技術】
【０００２】
従来、視聴しながらの裏番組録画または複数の放送番組を同時録画できるようにするため複数のチューナを備えた録画装置が存在し、昨今では地上デジタル放送用のチューナ、ＢＳデジタル放送用のチューナ、１１０度ＣＳデジタル放送用のチューナをそれぞれ複数内蔵する機種も存在する。このような複数のチューナを備えた装置は、一般的にアンテナは装置とは別体になっており、戸外に設置されたアンテナから伸びるアンテナケーブルを装置のアンテナ接続端子に接続し、アンテナを通じてチューナが各種放送を受信する。なお、地上デジタル放送用のチューナを２つ備えると共に、チューナごとに別個のアンテナを接続した受信機が、下記の特許文献１に開示されている。
【０００３】
また、地上デジタル放送では、階層伝送と呼ばれる伝送規格（ＩＳＤＢ−Ｔ：Integrated Services Digital Broadcasting-Terrestrial）に基づき放送信号が放送局から発信されている。階層伝送とは、１つのチャンネルを複数のセグメントに分けて、セグメント毎に異なる変調方式で放送信号を伝送するものである。ＩＳＤＢ−Ｔでは、１つのチャンネルを１３個のセグメントに分割し、１３個の中の１個のセグメントを携帯電話機や車載テレビジョン装置などの移動受信機用に割り当てると共に、残りの１２個のセグメントを据置型のテレビジョン装置などの固定受信機用に割り当てている。
【０００４】
１個のセグメントの放送信号に応じた階層は一般に「Ａ階層」と称されており、残りの１２個のセグメントの放送信号に応じた階層は「Ｂ階層」と称されている。Ａ階層の放送信号は伝送容量が低いため、「Ｂ階層」に比べて画質および音質等は劣るが、エラー耐性は高いので移動受信機に好適となる。なお、下記の特許文献２では、単一のチューナで受信する地上デジタル放送のＡ階層とＢ階層との切替をＳ／Ｎ比およびＢＥＲ（ビットエラーレート：Bit error rate）と云った受信品質に応じて切り替える受信装置が開示されている。
【特許文献１】特開２００６−５０５４０号公報
【特許文献２】特開２００５−２２３５４９号公報
【発明の開示】
【発明が解決しようとする課題】
【０００５】
複数のチューナを内蔵する装置は、一つのチャンネルの放送内容を視聴または録画するような場合、一つのチューナだけを用いるので、せっかく複数のチューナを具備していても、このような状態では他のチューナを有効に活用できていないと云う問題がある。また、上述した特許文献１に係る受信機は、２つのチューナごとにアンテナをそれぞれ接続しているが、アンテナを装置自体に設けていないので、受信機とアンテナを繋ぐアンテナケーブルにより装置の移動が拘束され、ユーザの望む場所へ受信機を自由に持ち運べないと云う問題がある。さらに、特許文献２に係る受信装置は、受信品質が変化するごとに、Ａ階層とＢ階層が切り替わるために、受信品質が頻繁に変化すれば、受信対象がＡ階層とＢ階層との間で何度も切り替わることになり、切替に伴う音声および映像の途切れが頻出すると云う問題がある。
【０００６】
本発明は、斯かる問題に鑑みてなされたものであり、複数のチューナを内蔵する装置筐体の相異する箇所に複数のアンテナを設け、同一チャンネルを同時期に複数のチューナで受信すれば、各チューナの受信品質がそれぞれ相異することも起こり得るようにして、最良の受信品質のチューナを通じて視聴または録画等を可能にした受信装置を提供することを目的とする。
また、本発明は、チューナごとにアンテナを設けた場合で、受信する放送対象がＡ階層とＢ階層との間で、頻繁に切り替えられないようにした受信装置を提供することを目的とする。
【課題を解決するための手段】
【０００７】
上記課題を解決するために本発明に係る受信装置は、デジタル放送を受信する複数のチューナを備えた受信装置において、前記複数のチューナに対応した複数のアンテナを装置筐体の相異する箇所にそれぞれ設けたことを特徴とする。
【０００８】
本発明にあっては、複数のチューナに対応して、装置筐体の相異する箇所に複数のアンテナをそれぞれ設けたので、受信環境によっては、同一のチャンネルを受信しても各チューナの受信品質が相異することが起こり得るようになる。そのため、一つのチャンネルの放送内容を視聴または録画するような場合でも、各チューナの受信品質を比べて最良の受信品質のチューナを選択することが可能となり、受信装置が具備する複数のチューナを有効活用できる。また、装置筐体に複数のアンテナを設けることで、受信装置がアンテナケーブルに束縛されることがなくなり、持ち運びも自由になる。なお、アンテナごとの受信品質が異なりやすくするには、できるだけ各アンテナを離隔して設けることが好ましく、例えば、方が、筐体が直方体であれば、両側面にそれぞれアンテナを設けることが好適となる。
【０００９】
本発明に係る受信装置は、前記複数のチューナのいずれか１つが出力系回路と接続されるように、接続の切替を行う切替手段と、前記複数のチューナがそれぞれ受信する同一チャンネルのデジタル放送の搬送波に含まれるノイズの割合を表すノイズ値を検出するノイズ値検出手段と、検出した複数のノイズ値を比較する比較手段と、前記比較手段の比較結果により、複数のノイズ値の中でノイズの割合が少ないノイズ値に応じたチューナが出力系回路と接続されるように、前記切替手段の切替を制御する手段とを備えることを特徴とする。
【００１０】
本発明にあっては、各チューナのいずれか１つが出力系回路と接続できるような回路構成にすると共に、各チューナで受信される同一チャンネルの搬送波に含まれるノイズの割合が少ない方のチューナが出力系回路と接続されるように制御を行うので、一つのチャンネルを受信する場合、各チューナのノイズ値に基づく受信品質を比較すると云う点で、複数のチューナを有効に活用できる上、映像および音質に優れた放送を視聴または録画できるようになる。なお、デジタル放送の搬送波に含まれるノイズの割合を表すノイズ値としては、Ｃ／Ｎ比（Carrier to Noise Ratio）などが挙げられる。
【００１１】
本発明に係る受信装置は、前記複数のチューナの中で、前記切替手段の切替により出力系回路と接続されたチューナと異なるチューナを、出力系回路と接続させる補助接続手段を備えることを特徴とする。
【００１２】
本発明にあっては、複数のチューナの中で、一つのチューナが出力系回路と接続された状態で、残りのチューナも出力系回路と補助接続手段で接続できるようにするので、複数のチューナを用いて異なるチャンネルを同時録画すること、一つのチャンネルを視聴しながら他のチャンネルを録画すること、複数の放送番組をマルチ画面で同時表示することなどを適宜容易に行えるようになり、装置が具備する複数のチューナを有効活用できる。
【００１３】
本発明に係る受信装置は、前記チューナごとに設けてあり、前記チューナが受信するデジタル放送のチャンネルに係る全セグメント中の一のセグメントに係る処理を行う第１処理手段と、前記チューナごとに設けてあり、前記全セグメント中の他の複数のセグメントに係る処理を行う第２処理手段と、前記チューナごとに設けてあり、前記第１処理手段または第２処理手段のいずれか一方が出力系回路と接続されるように、接続の切替を行う接続切替手段と、前記チューナが受信するデジタル放送の信号に係る誤り比率を検出する比率検出手段と、前記比率検出手段が検出した誤り比率と、閾値とを比較する比率比較手段と、前記比率比較手段の比較結果により、検出した誤り比率が前記閾値を下回る場合、前記第２処理手段が出力系回路と接続されるように、前記接続切替手段の切替の制御を行う切替制御手段とを備えることを特徴とする。
【００１４】
本発明にあっては、全セグメント中の一つのセグメント（Ａ階層に相当）に係る処理を行う第１処理手段と、残りの複数のセグメント（Ｂ階層に相当）に係る処理を行う第２処理手段とを、放送信号に係る誤り比率に応じて切り替えるので、受信品質に応じて最適なセグメントでデジタル放送の受信が行われる。即ち、検出した誤り比率が閾値を下回れば、受信品質が良好なので、Ｂ階層に応じた第２処理手段と出力系回路とを接続するように切替制御が行われるため、良好な品質でデジタル放送の信号を自動受信できるようになる。なお、デジタル放送の信号に係る誤り比率としては、ビットエラーレート（Bit Error Rate）などが挙げられる。
【００１５】
本発明に係る受信装置は、前記比率比較手段の比較結果により、検出した誤り比率が前記閾値を上回る場合、前記切替制御手段は、前記第１処理手段が出力系回路と接続されるように制御を行うことを特徴とする。
【００１６】
本発明にあっては、検出した誤り比率が閾値を上回る場合、即ち、受信品質が悪いときは、エラー耐性が高いＡ階層に応じた第１処理手段を出力系回路と接続するように切替制御を行うので、視聴に耐え得る画質及び音質を確保して放送信号の受信を維持できるようになる。
【００１７】
本発明に係る受信装置は、受信するデジタル放送の搬送波に含まれるノイズの割合を表すノイズ値を検出する手段と、前記第１処理手段に応じたセグメントのデジタル放送の信号に係る誤り比率を検出する手段と、前記接続切替手段が前記第１処理手段を出力系回路と接続するように切替を行った場合に、検出したノイズ値と基準ノイズ値との比較、および検出した誤り比率と基準比率との比較を行う複合比較手段とを備え、比較の結果、基準時間中、検出したノイズ値が前記基準ノイズ値を上回り、且つ検出した誤り比率が前記基準比率を下回る場合、前記切替制御手段は、出力系回路の接続対象が前記第１処理手段から第２処理手段へと切り替わるように制御を行うことを特徴とする。
【００１８】
本発明にあっては、第１処理手段が出力系回路と接続されるように切替を行った場合、ノイズ値および誤り比率に基づく受信品質が基準期間中、継続的に一定の基準を満たすようにならないと、第１処理手段から第２処理手段へと出力系回路の接続対象を切り替えない。そのため、一旦、第１処理手段へ切り替われば、これらの条件を満たさないと、第２処理手段へと切り替わらないため、第１処理手段と第２処理手段との間で頻繁に接続が切り替わることが無くなり、受信している放送信号に係る映像の途切れが極力防止される。
【００１９】
本発明に係る受信装置は、前記第１処理手段に応じたセグメントのデジタル放送の信号に係る第１誤り比率を検出する手段と、前記第２処理手段に応じたセグメントのデジタル放送の信号に係る第２誤り比率を検出する手段と、前記接続切替手段が前記第１処理手段を出力系回路と接続するように切替を行った場合に、検出した第１誤り比率と第１基準比率との比較、および検出した第２誤り比率と第２基準比率との比較を行う複合比較手段とを備え、比較の結果、基準時間中、検出した第１誤り比率が前記第１基準比率を下回り、且つ検出した第２誤り比率が前記第２基準比率を下回る場合、前記切替制御手段は、出力系回路の接続対象が前記第１処理手段から第２処理手段へと切り替わるように制御を行うことを特徴とする。
【００２０】
本発明にあっては、第１処理手段が出力系回路と接続されるように切替を行った場合、第１処理手段に応じたセグメントでのデジタル放送信号に係る第１誤り比率および第２処理手段に応じたセグメントでのデジタル放送信号に係る第２誤り比率に基づく受信品質が基準期間中、継続的に一定の基準を満たすようにならないと、第１処理手段から第２処理手段へと出力系回路の接続対象が切り替わらない。そのため、第１処理手段と第２処理手段との間で頻繁に接続が切り替わることが無くなり、受信中の放送信号に係る映像が途切れることを抑制できる。
【００２１】
本発明に係る受信装置は、前記チューナが受信したデジタル放送の放送内容の記録に係る処理を行う記録処理手段を備え、前記複合比較手段は、前記記録処理手段が記録に係る処理を行わないときに比較を行うようにしてあることを特徴とする。
【００２２】
本発明にあっては、記録に係る処理を行わないときに、第１処理手段から第２処理手段へと切り替わる条件の比較を行うことにより、たとえ、切替条件が整っても記録処理中は、切替が行われないようになり、切替により記録内容が分断されるような事態が発生することを防止でき、安定した記録（録画）を行える。
【００２３】
本発明に係る受信装置は、前記接続切替手段が前記第１処理手段と出力系回路を接続するように切替を行った場合で、前記記録処理手段が記録に係る処理を行うとき、前記切替制御手段は、前記第１処理手段と出力系回路との接続が維持されるように制御を行うことを特徴とする。
【００２４】
本発明にあっては、第１処理手段へ接続が切り替わった場合で、記録に係る処理を行うときは、第１処理手段との接続が維持されるので、放送内容が途切れることなく記録でき、再生時には連続した放送内容をユーザが楽しめるようになる。
【発明の効果】
【００２５】
本発明にあっては、装置筐体の相異する箇所に複数のアンテナをそれぞれ設けたので、アンテナごとに対応するチューナの受信品質が相異することが起こり得るような受信装置をユーザに提供できる。
また、本発明にあっては、各チューナのいずれか１つが出力系回路と接続できるような回路構成にすると共に、各チューナで受信される同一チャンネルの搬送波に含まれるノイズの割合が少ない方のチューナが出力系回路と接続されるように制御を行うので、複数のチューナの中で受信品質の良いものを用いてデジタル放送を受信でき、一般的な受信処理においても、受信装置が具備する複数のチューナを受信品質の比較に利用できる。
【００２６】
本発明にあっては、複数のチューナの中で、一つのチューナが出力系回路と接続された状態で、残りのチューナも出力系回路と補助接続手段で接続できるようにするので、複数の放送の同時録画、一つの放送を視聴しながら他の放送を録画すること、マルチ画面での複数放送の同時表示などを適宜容易に実現でき、受信装置が具備する複数のチューナを有効活用できる。
【００２７】
本発明にあっては、全セグメント中の一つのセグメント（Ａ階層に相当）に係る処理を行う第１処理手段と、残りの複数のセグメント（Ｂ階層に相当）に係る処理を行う第２処理手段とを、放送信号に係る誤り比率に応じて切り替えるので、受信品質に応じて最適なセグメントでデジタル放送を受信できる。
本発明にあっては、受信品質が悪ければ、エラー耐性が高いＡ階層に応じた第１処理手段を出力系回路と接続するように切替制御を行うので、視聴に耐え得る画質及び音質を確保して放送信号の受信を維持できる。
【００２８】
本発明にあっては、第１処理手段が出力系回路と接続されるように切替を行った場合、ノイズ値および誤り比率に基づく受信品質が基準期間中、継続的に一定の基準を満たすようにならないと、第１処理手段から第２処理手段へと出力系回路の接続対象を切り替えないので、Ａ階層とＢ階層との間で頻繁に接続が切り替わることを防止できる。
本発明にあっては、第１処理手段が出力系回路と接続されるように切替を行った場合、第１処理手段に応じたセグメントでのデジタル放送信号に係る第１誤り比率および第２処理手段に応じたセグメントでのデジタル放送信号に係る第２誤り比率に基づく受信品質が基準期間中、継続的に一定の基準を満たすようにならないと、第１処理手段から第２処理手段へと出力系回路の接続対象を切り替えないので、Ａ階層とＢ階層との間で頻繁に受信対象が切り替わることを防止できる。
【００２９】
本発明にあっては、記録に係る処理を行わないときに、第１処理手段から第２処理手段へと切り替わる条件の比較を行い、記録処理中は第１処理手段に対する接続を維持するので、記録処理中は切替を行わないので、放送内容を継続して記録（録画）できる。
【発明を実施するための最良の形態】
【００３０】
図１は、本発明の実施形態に係る受信装置に相当するポータブルレコーダ１の外観を示している。本実施形態のポータブルレコーダ１は、計２個の地上デジタル放送用のチューナを内蔵すると共に、各チューナに対応するアンテナ７、８を、レコーダ本体側の第一筐体２の相異する箇所にそれぞれ設け、一つの放送チャンネルを受信する際、受信品質の良い方のチューナを用いることを特徴にしている。
【００３１】
ポータブルレコーダ１は基本的な外観構造として、レコーダ本体側の第一筐体２に、表示部３ａ（表示パネル）を設けた第二筐体３を、ヒンジ部４を介して回動可能に連結している。第一筐体２は、厚みが薄い略直方体の形状をしており、図１の中で右側となる一側面２ａに円形の第一開口部２ｃを設けて、その第一開口部２ｃから第一アンテナ７を突出させると共に、一側面２ａの反対側の他側面２ｂにも第二開口部２ｄを設け、第二開口部２ｄから第二アンテナ８を突出させている。
【００３２】
第一アンテナ７は、第一開口部２ｃから突出する棒状の基部７ａの先端に回動部７ｄを介して筒部７ｂを連結しており、筒部７ｂは伸縮部７ｃを伸縮可能に内蔵している。このような構造により、第一アンテナ７は、筒部７ｂが回動部７ｄを中心に回動してアンテナ方向を変更できると共に、筒部７ｂに対して伸縮部７ｃを伸縮させることでアンテナ長さを可変にしている。そのため、最良の受信状態が得られるように、ユーザはアンテナ方向とアンテナ長さを自由に調整できる。なお、ポータブルレコーダ１の未使用時または持ち運びには、第一アンテナ７は、伸縮部７ｃを筒部７ｂに収めて、筒部７ｂと基部７ａとを直線状の状態にして、第一筐体２へ押し込めば、アンテナ全体が第一開口部２ｃから筐体内へ沈み込んで第一筐体２に収納されるようになっている。
【００３３】
また、第二アンテナ８は、第一アンテナ７と同様に、基部８ａ、筒部８ｂおよび伸縮部８ｃを有し、アンテナ方向およびアンテナ長さが調整可能になっていると共に、第二開口部２ｄを通じて、第一筐体２の内部へ収納できるようになっている。このように第一アンテナ７および第二アンテナ８は、第一筐体２の両側面２ａ、２ｂに設けられるので、両アンテナの間隔として、第一筐体２の幅寸法程度を確保しやすくなり、それぞれが外方へ開くように筒部７ｂ、８ｂを回動させれば、アンテナ先端では、さらにアンテナ間の間隔を長くすることができ、各アンテナ７、８ごとの受信品質に差を設けやすくなる。
【００３４】
各アンテナ７、８の選択性ダイバーシティを有効にするためには、各アンテナ７、８の間隔を、受信する放送チャンネルの周波数の半波長以上離すことが望ましい。例えば、受信する放送チャンネルが１３ｃｈ（中心周波数４７３ＭＨｚ）であれば、アンテナ間の距離として約３２ｃｍが必要となるので、これらのことを考慮すれば、各アンテナ７、８のアンテナ方向の調整代も含めて、アンテナ間隔として約４０ｃｍ程度を確保できるように第一筐体２の幅寸法およびアンテナ長さ等のサイズを決定することが好適である。
【００３５】
なお、ポータブルレコーダ１の第一筐体２は、第一アンテナ７を設けた一側面２ａに、半導体メモリの記録媒体Ｋを挿入するスロット部２ｅを開口し、上面部には上下左右キーおよび複数のボタン、キー等を含む操作部５を設けている。さらに、第一筐体２は、第二筐体３を連結するヒンジ部４の左右両側に第一スピーカ部６ａおよび第二スピーカ部６ｂを突設し、受信した放送内容に含まれる音声を各スピーカ部６ａ、６ｂから出力するようにしている。
【００３６】
図２は、ポータブルレコーダ１の主要な内部構成を示すブロック図である。ポータブルレコーダ１は、第一アンテナ７に対応した第一チューナ１１を含む第一受信ユニット１０および第二アンテナ８に対応した第二チューナ２１を含む第二受信ユニット２０を備えると共に、各ユニット１０、２０との接続状態を切り替える接続切替ユニット３０、受信した内容を視聴処理系回路（映像表示処理部４２、音声出力処理部４３）または録画処理系回路（記録処理部４４）へ送る出力切替ユニット４１（出力系回路に相当）、および全体的な制御処理を行う制御ユニット１８等を備えている。
【００３７】
第一受信ユニット１０は、放送局から送信される地上デジタル放送に応じたＯＦＤＭ（直交周波数分割多重：Orthogonal Frequency Division Multiplexing）信号（デジタル放送信号）の受信およびコンテンツ信号の生成に係る一連の処理等を行うユニットである。そのため第一受信ユニット１０は、第一アンテナ７と接続される第一チューナ１１、第一ＯＦＤＭ復調部１２、第一分離部１３、第一Ａ階層復号部１４および第一Ｂ階層復号部１５を備えている。
【００３８】
第一チューナ１１は、接続線ｄ１で接続される第一アンテナ７を介して、ＯＦＤＭ信号を受信し、受信した信号をＲＦ（Radio Frequency）信号として取得する。また、第一チューナ１１は、取得したＲＦ信号を周波数変換してＩＦ（Intermediate Frequency）信号を形成し、そのＩＦ信号を第一ＯＦＤＭ復調部１２へ送る処理を行う。なお、第一チューナ１１の受信対象となる周波数（チャンネル）は、制御ユニット１８の指示により制御される。
【００３９】
第一ＯＦＤＭ復調部１２は、第一チューナ１１から送られてＩＦ信号に対して、主に２種類の処理内容を行う。１つ目の処理内容として、第一ＯＦＤＭ復調部１２は、ＩＦ信号のＡ／Ｄ変換処理、ＯＦＤＭ復調処理および誤り訂正処理などを行い、これらの処理により、受信した放送チャンネルのトランスポートストリーム（ＴＳ：Transport Stream）を生成し、生成したトランスポートストリームを第一分離部１３へパケット単位で出力する処理を行う。なお、第一ＯＦＤＭ復調部１２が生成するトランスポートストリームは、ＭＰＥＧ−２（Moving Pictures Expert Gruoup-2）規格における形式の１つに合致したものになっている。
【００４０】
また、２つ目の処理内容として、第一ＯＦＤＭ復調部１２は、第一チューナ１１から取得したＩＦ信号に係るＣ／Ｎ比（地上デジタル放送の搬送波に含まれるノイズの割合を表すノイズ値に相当）を検出すると共に、生成したトランスポートストリームに関するビットエラーレート（地上デジタル放送の信号に係る誤り比率に相当）を検出し、制御線ｓ１を通じて制御ユニット１８へ各検出結果を送る処理も行っている。
【００４１】
上述したビットエラーレート等の検出を、第一ＯＦＤＭ復調部１２は階層ごとに行っている。すなわち、第一ＯＦＤＭ復調部１２は、生成したトランスポートストリームの出力単位であるＴＳパケットに、ＭＰＥＧ−２規格の規定に基づき個別ストリームの属性を示す識別子のＰＩＤ（Packet Identifier）を付しており、このＰＩＤを利用して、第一ＯＦＤＭ復調部１２は階層ごとの検出処理を行う。ＩＳＤＢ−Ｔでは、Ａ階層用の信号が含まれているＴＳパケットのＰＩＤを固定値にすることが規定されているので、第一ＯＦＤＭ復調部１２は、ＴＳパケットのＰＩＤを検出し、検出したＰＩＤがＡ階層に応じた固定値であると判断すると、検出したＴＳパケットはＡ階層用の信号を運んでいると特定し、対象となるＴＳパケットに含まれる信号に基づきＡ階層に対してビットエラーレートを検出する。また、検出したＰＩＤがＡ階層に応じた固定値と異なれば、第一ＯＦＤＭ復調部１２は、検出したＴＳパケットはＢ階層用の信号を運んでいると特定し、そのＴＳパケットに含まれる信号に基づきＢ階層に対してビットエラーレートを検出する。
【００４２】
次に第一分離部１３は、第一ＯＦＤＭ復調部１２から送られてくるトランスポートストリーム（ＴＳ）をＴＳパケット単位でＰＩＤに基づきＡ階層用の信号とＢ階層用の信号に分離する処理を行う。第一分離部１３は、処理対象のＴＳパケットに含まれる信号がＡ階層用の信号であると判断した場合、そのＴＳパケットを、一方の分岐線ｄ２を通じて第一Ａ階層復号部１４へ送り、処理対象のＴＳパケットに含まれる信号がＢ階層用のコンテンツ信号であると判断した場合、そのＴＳパケットを、他方の分岐線ｄ３を通じて第一Ｂ階層復号部１５へ送る。
【００４３】
第一Ａ階層復号部１４（第１処理手段に相当）は、第一分離部１３から送られてきたＡ階層用の信号を含むＴＳパケットに対して復号処理を行うことで、Ａ階層用の放送コンテンツ信号を生成する処理を行う。なお、第一Ａ階層復号部１４は、接続線ｄ４を介して接続切替ユニット３０に含まれる第一切替部３１に設けられた第一Ａ階層端子部３１ａ（図３参照）に接続されている。
【００４４】
また、第一Ｂ階層復号部１５（第２処理手段に相当）は、第一分離部１３から送られてきたＢ階層用の信号を含むＴＳパケットに対して復号処理を行うことで、Ｂ階層用の放送コンテンツ信号を生成する処理を行う。なお、第一Ｂ階層復号部１５は、別の接続線ｄ５を介して接続切替ユニット３０に含まれる第一切替部３１に設けられた第一Ｂ階層端子部３１ｂ（図３参照）に接続されている。
【００４５】
一方、第二アンテナ８に対応する第二受信ユニット２０は、上述した第一受信ユニット１０と同様の構成で、且つ同様の処理を行うものであり、第二アンテナ８と接続線ｄ１０で接続される第二チューナ２１、制御ユニット１８ａと制御線ｓ２で接続される第二ＯＦＤＭ復調部２２、第二分離部２３、第二Ａ階層復号部２４および第二Ｂ階層復号部２５を具備している。なお、第二受信ユニット２０に含まれる第二Ａ階層復号部２４は、接続線ｄ１３を介して接続切替ユニット３０に含まれる第二切替部３３に設けられた第二Ａ階層端子部３３ａ（図３参照）に接続されている。また、第二Ｂ階層復号部２５は、別の接続線ｄ１４を介して接続切替ユニット３０に含まれる第二切替部３３に設けられた第二Ｂ階層端子部３３ｂ（図３参照）に接続されている。
【００４６】
接続切替ユニット３０は、第一切替部３１、第二切替部３３および第三切替部３５を備えている。第一切替部３１は、第一受信ユニット１０に含まれる第一Ａ階層復号部１４または第一Ｂ階層復号部１５のいずれか一方が出力切替ユニット４１と接続されるように、接続を選択的に切り替える処理を行う。第二切替部３３も、第二受信ユニット２０に含まれる第二Ａ階層復号部２４または第二Ｂ階層復号部２５のいずれか一方が出力切替ユニット４１と接続されるように、接続を選択的に切り替える。さらに、第三切替部３５は、第一受信ユニット１０（第一チューナ１１）と出力切替ユニット４１との接続／非接続、および第二受信ユニット２０（第二チューナ２１）と出力切替ユニット４１との非接続／接続の切替を選択的に行う。
【００４７】
図３は、接続切替ユニット３０の内部構造を模式的に表したブロック図である。接続切替ユニット３０に含まれる第一切替部３１は、第一Ａ階層端子部３１ａまたは第一Ｂ階層端子部３１ｂのいずれか一方と第一出力端子部３１ｃが接続されるように接続を切り替える第一スイッチ３２（接続切替手段に相当）を有している。また、第二切替部３３は、第一切替部３１と同様な構造になっており、第二Ａ階層端子部３３ａまたは第二Ｂ階層端子部３３ｂのいずれか一方と第二出力端子部３３ｃが接続されるように接続を切り替える第二スイッチ３４（接続切替手段に相当）を有している。
【００４８】
第三切替部３５は、第一切替部３１の第一出力端子部３１ｃと接続線ｄ２０を介して接続される第一端子部３５ａ、第二切替部３３の第二出力端子部３３ｃと接続線ｄ２１を介して接続される第二端子部３５ｂ、主出力端子部３５ｃ、補助出力端子部３５ｄ、主スイッチ３６および補助スイッチ３７を有している。主スイッチ３６（切替手段に相当）は、第一端子部３５ａまたは第二端子部３５ｂのいずれか一方と主出力端子部３５ｃが選択的に接続されるように接続の切替を行うものである。また、補助スイッチ３７（補助接続手段に相当）は、主スイッチ３６が第一端子部３５ａと主出力端子部３５ｃが接続されるように切替を行っている場合に、第二端子部３５ｂと補助出力端子部３５ｄとの接続／非接続の切替を切り替えるものである。
【００４９】
よって、第三切替部３５は、主スイッチ３６により、結果として図２に示す第一受信ユニット１０に含まれる第一チューナ１１と、第二受信ユニット２０に含まれる第二チューナ２１のいずれか一方を出力切替ユニット４１と接続されるように切替を行う。さらに、第三切替部３５は、第一チューナ１１と接続されるように主スイッチ３６が切替を行っている場合は、補助スイッチ３７を切り替えることで、第二チューナ２１を出力切替ユニット４１とも接続できるようにしている。このような第三切替部３５を用いることで、ポータブルレコーダ１は、両方のチューナ１１、２１を同時利用して、視聴しながら他の番組を裏録画すること、同時に異なる２つの番組を表示することなどを可能にしている。なお、接続切替ユニット３０に含まれる各スイッチ３２、３４、３６、３７の切替は通常、制御ユニット１８の指示により自動制御されるが、ユーザが操作部５で行うマニュアル操作によっても切り替えることが可能になっている。
【００５０】
出力切替ユニット４１は出力系回路に相当し、接続切替ユニット３０の第三切替部３５に含まれる主出力端子部３５ｃと接続線ｄ２２を介して接続されると共に、第三切替部３５に含まれる補助出力端子部３５ｄと接続線ｄ２３を介して接続されることで、第一受信ユニット１０または第二受信ユニット２０で処理されたデジタル放送に応じたトランスポートストリームのコンテンツ信号が、接続切替ユニット３０を通じて入力されるようになっている。出力切替ユニット４１は、第一出力部４１ａおよび第二出力部４１ｂを有しており、入力されるコンテンツ信号を制御ユニット１８の制御に従って、第一出力部４１ａまたは第二出力部４１ｂへ振り分ける。
【００５１】
出力切替ユニット４１の第一出力部４１ａは、コンテンツ信号を視聴する場合に用いられる回路部分であり、映像表示処理部４２および音声出力処理部４３に接続されている。第一出力部４１ａは、入力されたコンテンツ信号の中に含まれる映像信号を映像表示処理部４２へ送り、コンテンツ信号に含まれる音声信号を音声出力処理部４３へ送る。なお、映像表示処理部４２は映像信号を受け取ると、所要の映像表示に係る処理を行ってから表示部３ａへ出力し、それにより表示部３ａに受信されたデジタル放送の信号に応じた映像が表示される。一方、音声出力処理部４３は、音声信号を受け取ると、所要の音声出力に係る処理を行ってから左右スピーカ６ａ、６ｂへ出力し、それにより左右スピーカ６ａ、６ｂからは受信されたデジタル放送の信号に応じた音声が出力される。
【００５２】
また、出力切替ユニット４１の第二出力部４１ｂは、受信したデジタル放送に応じたコンテンツ信号を記録（録画）する場合に用いられる回路部分であり、記録処理部４４と接続されている。第二出力部４１ｂは、記録処理を行う場合、接続切替ユニット３０を通じて入力されるコンテンツ信号を記録処理部４４へ送り、記録処理部４４が記録媒体装着部４５に装着された記録媒体Ｋへコンテンツ信号の書込処理を行う。なお、ポータブルレコーダ１は、記録媒体Ｋに記録されたコンテンツの再生を行う場合、記録処理部４４が記録媒体装着部４５に装着された記録媒体Ｋから、再生対象のコンテンツ信号を読み取り、読み取ったコンテンツ信号を出力切換ユニット４１の中で、第二出力部４１ｂを経由して第一出力部４１ａへ送り、第一出力部４１ａが上述したような所要のコンテンツ信号の出力処理を行うことになる。
【００５３】
最後にポータブルレコーダ１の制御ユニット１８を説明する。制御ユニット１８は、操作部５で受け付けたユーザの指示に応じた内容でポータブルレコーダ１の各種機能を作動させるように様々な制御を行うものであり、制御線ｓ１で第一受信ユニット１０の第一ＯＦＤＭ復調部１２と接続されると共に、別の制御線ｓ２で第二受信ユニット２０の第二ＯＦＤＭ復調部２２とも接続されている。さらに、制御ユニット１８は、制御線ｓ３で接続切替ユニット３０と接続して図３に示す各スイッチ３２、３４、３６、３７の切替制御を行う。なお、制御ユニット１８は、出力切替ユニット４１、映像表示処理部４２、音声出力処理部４３、記録処理部４４などとも、図２では示していない制御線で接続して、各部を適宜制御している。なお、制御ユニット１８は、クロック機能を有しており、処理にかかる時間の計測等も行う。
【００５４】
このような制御ユニット１８は、内蔵するメモリ１８ａに予め記憶されたプログラムの規定内容に従って各種制御処理を行う。以下、プログラムの規定に基づく地上デジタル放送の受信などに係る制御ユニット１８の制御内容について説明する。なお、制御ユニット１８のメモリ１８ａには、Ｃ／Ｎ比との比較用の基準ノイズ値（本実施形態では１２ｄＢ）、ビットエラーレートに関する閾値（０．０００１）および基準比率の値（０．００１）なども予め記憶されている。また、上述した各数値（１２ｄＢ、０．０００１、０．００１）は、あくまで一例であり、仕様などに応じて別の数値を用いることも勿論可能である。
【００５５】
制御ユニット１８が行う主な制御処理の事項は２つある。１つ目の事項は、地上デジタル放送の受信に対して第一チューナ１１または第二チューナ２１のいずれを用いるかを決定する内容に関することであり、２つ目の事項は、地上デジタル放送の受信をＡ階層またはＢ階層のいずれに切り替えるかに関することである。
【００５６】
図４の第１フローチャートは、上述した１つ目の事項について、制御ユニット１８が行う制御処理の手順を示している。先ず、制御ユニット１８は、視聴するチャンネル（チャンネル番号）の指定を、操作部５を通じてユーザから受け付けたか否かを判断する（Ｓ１）。チャンネルの指定を受け付けていない場合（Ｓ１：ＮＯ）、受け付けを待つ状態となり、また、チャンネルの指定を受け付けた場合、指示された同一チャンネルの周波数に対して両方のチューナ１１、２１で同時に受信を行い、第一ＯＦＤＭ復調部１２および第二ＯＦＤＭ復調部２２を通じて各チューナ１１、２１の受信搬送波に係るＣ／Ｎ比の検出を行う（Ｓ２）。
【００５７】
そして、制御ユニット１８は、検出した２つのＣ／Ｎ比を比較し（Ｓ３）、大きい方のＣ／Ｎ比（ノイズの割合が少ない方のＣ／Ｎ比）に応じたチューナが出力切替ユニット４１と接続されるように、接続切替ユニット３０の第三切替部３５に含まれる主スイッチ３６の切替を制御する（Ｓ４）。具体的には、第一チューナ１１での受信に係るＣ／Ｎ比の方が大きい場合、制御ユニット１８は主スイッチ３６が第一端子部３５ａと繋がるように接続を切り替えて、第一チューナ１１が接続切替ユニット３０を通じて出力切替ユニット４１と接続されるように制御する（図３参照）。また、第二チューナ２１での受信に係るＣ／Ｎ比の方が大きい場合、制御ユニット１８は主スイッチ３６が第二端子部３５ｂと繋がるように接続を切り替えて、第二チューナ２１が回路的に出力切替ユニット４１と接続されるように制御を行う。
【００５８】
このような処理を制御ユニット１８が行うことで、二つのチューナ１１、２１の中で、受信状態の良い方を用いて地上デジタル放送の番組を視聴でき、ポータブルレコーダ１が具備する両チューナ１１、２１を有効に活用できる。なお、このように第三切替部３５の主スイッチ３６で接続の切替制御を行う場合は、第三切替部３５が有する補助スイッチ３７が非接続となるように、制御ユニット１８は制御を行う。また、視聴と同時に録画を行う場合、または同時に２つの番組の録画を行う操作指示などを操作部５で受け付けた場合、制御ユニット１８は、第１フローチャートに示す処理とは別に、主スイッチ３６を第一チューナ１１側の第一端子部３５ａと繋がるように切り替えると共に、補助スイッチ３７を第二チューナ２１側の第二端子部３５ｂと補助出力端子部３５ｄとを接続するように切り替える制御を行う。
【００５９】
また、図５の第２フローチャートは、上述した２つ目の事項（Ａ階層またはＢ階層のいずれに切り替えるか）に対して、制御ユニット１８が行う制御処理の中の一部の単位処理を示し、上述した第１フローチャートの処理の後で行う内容を表している。なお、第２フローチャートに係る下記の説明では、第１フローチャートで第一チューナ１１と接続されるように切替が行われた場合で説明を行うが、第二チューナ２１と接続されるように切り替えられた場合でも、内容的には同等の処理になる（図６に示す第３フローチャートでも同様）。
【００６０】
制御ユニット１８は、最初の段階では画質および音質等に優れるＢ階層で視聴を行うようにするため、第一Ｂ階層復号部１５が出力切替ユニット４１と回路的に接続されるように、図３に示す第一切替部３１に含まれる第一スイッチ３２が第一Ｂ階層端子部３１ｂと接続されるように切替制御を行う（Ｓ１０）。次に、制御ユニット１８は、第一ＯＦＤＭ復調部１２を通じて、受信されるデジタル放送に係るＢ階層のビットエラーレート（ＢＥＲ）を検出する（Ｓ１１）。それから、制御ユニット１８は、検出したＢＥＲが、メモリ１８ａに予め記憶した閾値（０．０００１）以下であるか否かを比較する（Ｓ１２）。
【００６１】
検出したＢＥＲが閾値以下である場合（Ｓ１２：ＹＥＳ）、Ｂ階層の受信に支障がないので、制御ユニット１８は、次にユーザから視聴停止操作があったか否かを判断し（Ｓ１３）、視聴停止操作が無ければ（Ｓ１３：ＮＯ）、最初の段階（Ｓ１０）へ戻り、そのまま第一Ｂ階層復号部１５と出力切替ユニット４１の接続が維持されるように、第一スイッチ３２の切替に係る制御を行い、Ｂ階層での受信を続ける。一方、検出したＢＥＲが閾値を越える場合（Ｓ１２：ＮＯ）、Ｂ階層での安定した受信が困難となるので、エラー耐性が高いＡ階層での受信に切り替えるため、制御ユニット１８の処理は図６の第３フローチャートに示す処理へ移行する。なお、ユーザの視聴停止操作があった場合（Ｓ１３：ＹＥＳ）、制御ユニット１８は受信処理を終了する。
【００６２】
図６の第３フローチャートは、上述した第２フローチャートに示す処理で、検出したＢＥＲが閾値を越える場合（Ｓ１２：ＮＯ）に、制御ユニット１８が行う制御処理内容を示している。すなわち、Ａ階層での受信に切り替えるため、図３に示す第一切替部３１に含まれる第一スイッチ３２が第一Ａ階層端子部３１ａと接続されるように、制御ユニット１８は切替制御を行って、第一Ａ階層復号部１４と出力切替ユニット４１を回路的に接続する（Ｓ２０）。
【００６３】
次に、制御ユニット１８は、第一ＯＦＤＭ復調部１２を通じて、受信されるデジタル放送に係るＡ階層のビットエラーレート（ＢＥＲ）を検出し（Ｓ２１）、第一ＯＦＤＭ復調部１２を通じて第一チューナ１１での受信に係るＣ／Ｎ比を検出する（Ｓ２２）。それから制御ユニット１８は、検出したＢＥＲがメモリ１８ａに記憶した基準比率（０．００１）を下回るか否かと、検出したＣ／Ｎ比が基準ノイズ値（１２ｄＢ）を上回るか否かを複合的に比較する（Ｓ２３）。
【００６４】
検出したＢＥＲが基準比率（０．００１）を下回り、且つ検出したＣ／Ｎ比が基準ノイズ値（１２ｄＢ）を上回る場合（Ｓ２３：ＹＥＳ）、制御ユニット１８は、その状態（ＢＥＲ＜０．００１且つＣ／Ｎ比＞１２ｄＢ）が３０秒間（基準時間に相当）、継続したかを判断する（Ｓ２４）。上記状態が３０秒の間、継続した場合（Ｓ２４：ＹＥＳ）、ポータブルレコーダ１が位置する受信環境がＢ階層で安定して受信し得るレベルになっていると判断できるので、制御ユニット１８の処理は図５の第２フローチャートに示す処理へ戻り、制御ユニット１８は、第一切替部３１に含まれる第一スイッチ３２が第一Ｂ階層端子部３１ｂと接続されるように切替制御を行い、第一Ｂ階層復号部１５と出力切替ユニット４１を回路的に接続する。
【００６５】
一方、上記状態（ＢＥＲ＜０．００１且つＣ／Ｎ比＞１２ｄＢ）が３０秒継続していない場合（Ｓ２４：ＮＯ）、安定してＢ階層で受信し得るレベルにまで至っていないと云う判断になり、最初の第一Ａ階層復号部１４との接続段階（Ｓ２０）へ戻り、上記状態が３０秒間続くまで、Ｓ２０〜Ｓ２３の処理を繰り返すことになる。このように本発明のポータブルレコーダ１では、Ａ階層での受信からＢ階層での受信への切替に対して、少なくとも３０秒間は安定した受信レベルが継続することを条件にしているので、頻繁にＡ階層での受信と、Ｂ階層での受信が切り替わることもない。
【００６６】
また、検出したＢＥＲが基準比率（０．００１）を下回らないか、検出したＣ／Ｎ比が基準ノイズ値（１２ｄＢ）を上回らない場合（Ｓ２３：ＮＯ）、制御ユニット１８は、ユーザから視聴停止操作を操作部５で受け付けたか否かを判断する（Ｓ２５）。視聴停止操作を受け付けていない場合（Ｓ２５：ＮＯ）、最初の処理段階（Ｓ２０）へ戻り、Ａ階層からＢ階層への切替に係る処理を継続し、視聴停止操作を受け付けた場合（Ｓ２５：ＹＥＳ）、デジタル放送の受信に係る一連の処理を終了する。
【００６７】
なお、上述した図５の第２フローチャートおよび図６の第３フローチャートに関する処理は、接続切替ユニット３０の主スイッチ３６で接続された側におけるＡ階層での受信とＢ階層での受信との切替に対して行われる以外に、補助スイッチ３７が接続側へ切り替わった場合に使用対象となる第二受信ユニット２０の第二Ａ階層復号部２４と、第二Ｂ階層復号部２５との切替に関する処理にも勿論適用される。
【００６８】
以上のように、本発明に係るポータブルレコーダ１は、第一筐体２の離れた両側面２ａ、２ｂに、第一チューナ１１用の第一アンテナ７と、第二チューナ２１用の第二アンテナ８をそれぞれ設けるので、各チューナ１１、２１の受信品質を相異させることができる。さらに、本発明のポータブルレコーダ１は、内蔵する接続切替ユニット３０により受信品質が良好な方のチューナを用いて視聴が行えるように、チューナの切替を自動で行うので、２つのチューナ１１、２１を有効に活用できる。しかも、本発明では、切り替えたチューナに対して、受信品質の状況に基づきＡ階層での受信またはＢ階層での受信を切り替えるので、ポータブルレコーダ１はユーザに持ち運ばれて移動しても、移動の先々で良好なテレビ放送の受信を確保できる。
【００６９】
なお、本発明の実施形態は、上述した内容に限定されるものではなく種々の変形例の適用が可能になっている。例えば、図６の第３フローチャートのＳ２４の処理では、切替の条件が継続する時間を３０秒（基準時間に相当）にしているが、基準時間は３０秒より長い時間または短い時間に変更することも可能であり、さらには、基準時間の数値を操作部５での操作により適宜設定できるようにしてもよい。設定の仕方としては、ポータブルレコーダ１が長く移動するような場合は、基準時間を３０秒より長目に設定する方が好適であり、反対にポータブルレコーダ１が移動が短いような場合は、基準時間を短目に設定することが好適となる。
【００７０】
また、制御ユニット１８のメモリ１８ａの中に、予めＡ階層用の第一基準比率とＢ階層用の第二基準比率とを記憶させることで、第３フローチャートのＳ２３の処理を、Ａ階層のＢＥＲが第一基準比率を下回るか否かと、Ｂ階層のＢＥＲが第二基準比率を下回るか否かを複合的に比較する内容にしてもよい。この場合、両階層のＢＥＲが両方の基準比率を下回る場合、その状態が基準時間（３０秒）、継続するかを比較する段階（Ｓ２４）へ進むことになり、いずれか一方の階層のＢＥＲが、その基準比率を上回れば、視聴停止操作の有無の判断段階（Ｓ２５）へ進むことになる。このような変形例では、Ｃ／Ｎ比の検出が不要になるため、各階層に対して検出するＢＥＲのみでＡ階層からＢ階層への切替に係る比較判断を行える。
【００７１】
また、ポータブルレコーダ１は、図２に示すように、各チューナ１１、２１で受信したデジタル放送の放送内容の記録に係る処理を行う記録処理部４４を有しているため、この記録処理部４４が記録処理中であるか否かを判断する内容も、Ａ階層からＢ階層への切替に係る比較判断の処理に組み入れてもよい。このような記録処理中であるかを判断する処理を組み入れるには、制御ユニット１８が、記録処理部４４に対して記録処理を行うように制御を行っているか否かを認識できる仕様になっていることが必要となる。
【００７２】
図７の第４フローチャートは、上述した記録処理部４４が記録処理中であるか否かを判断する処理を組み入れた内容を示しており、図６の第３フローチャートの変形例に該当している。すなわち、第一または第二Ａ階層複合部１５、２５のいずれかと接続されるように接続切替ユニット３０の切替を行ってから（Ｓ２０′）、制御ユニット１８は、記録処理部４４が記録処理中であるか否かを判断する（Ｓ２０ａ′）。記録処理中である場合（Ｓ２０ａ′：ＹＥＳ）、制御ユニット１８は、最初の段階（Ｓ２０′）へ戻るため、切替判断の処理段階へ進むことがなくなり、第一または第二Ａ階層複合部１５、２５のいずれか一方と出力切替ユニット４１との接続が維持されて、Ａ階層での受信に基づき放送内容の記録処理が継続される。
【００７３】
一方、記録処理ユニット３０が記録処理中でない場合（Ｓ２０ａ′：ＮＯ）、制御ユニット１８は、受信されるデジタル放送に係るＡ階層のＢＥＲを検出し（Ｓ２１′）、それ以降の処理は、図６の第３フローチャートのＳ２２〜Ｓ２６までと同等の処理手順を行う。そのため、記録処理が行われていないときは、条件の比較（図６のＳ２３の内容、または上述した変形例による両階層のＢＥＲと各基準比率の比較）の判断結果によっては、Ａ階層からＢ階層への受信に切り替わることもあるが、この場合は放送内容が記録されていないため、切り替わり時に受信内容の分断があっても支障は生じない。
【００７４】
また、本発明に係る装置の仕様を簡易化する場合は、Ａ階層とＢ階層の自動切替に係る構成は省略することも可能であり、さらに、本発明に係る内容は、ポータブルレコーダ以外にテレビジョン装置（記録機能無し）またはセットトップボックス的な装置のような各種受信装置に適用可能である。さらにまた、本発明で対象となるチューナおよびアンテナの数は２つに限定されるものでなく、２以上のチューナおよびアンテナを有する受信装置にも上述した本発明の内容（実施形態および変形例の内容）は適用可能である。
【図面の簡単な説明】
【００７５】
【図１】本発明の実施形態に係るポータブルレコーダの外観を示す斜視図である。
【図２】実施形態のポータブルレコーダの内部構成を示すブロック図である。
【図３】接続切替ユニットの内部構造を模式的に示すブロック図である。
【図４】チューナの切替に関する処理を表した第１フローチャートである。
【図５】Ｂ階層からＡ階層への切替に関する処理を表した第２フローチャートである。
【図６】Ａ階層からＢ階層への切替に関する処理を表した第３フローチャートである。
【図７】Ａ階層からＢ階層への切替に関する変形例の処理の一部を表した第４フローチャートである。
【符号の説明】
【００７６】
１  ポータブルレコーダ
２  第一筐体
３  第二筐体
５  操作部
７  第一アンテナ
８  第二アンテナ
１０  第一受信ユニット
１１  第一チューナ
１２  第一ＯＦＤＭ復調部
１８  制御ユニット
２０  第二受信ユニット
２１  第二チューナ
２２  第二ＯＦＤＭ復調部
３０  接続切替ユニット
３１  第一切替部
３２  第一スイッチ
３３  第二切替部
３４  第二スイッチ
３５  第三切替部
３６  主スイッチ
３７  補助スイッチ
４１  出力切替ユニット
４４  記録処理部
【図１】
2009027362.tif 000003
【図２】
2009027362.tif 000004
【図３】
2009027362.tif 000005
【図４】
2009027362.tif 000006
【図５】
2009027362.tif 000007
【図６】
2009027362.tif 000008
【図７】
2009027362.tif 000009